(57)【要約】【課題】ケースの各面を構成する面部材をネジ止めや溶接によることなく確実に接合でき、組立作業を容易にし、防水性を確保できるようにする。【解決手段】側面部材１の背面側端部に平板状の折曲部１１を４５度の角度で折り曲げて形成し、背面部材３の側面側端部に平板状の折曲部３１を４５度の角度で折り曲げて形成した。折曲部１１の外側面と折曲部３１の外側面とを当接させた後、折曲部１１及び折曲部３１に、弾力性を有する略Ω状のクリップ７を装着する。クリップ７を折曲部１１，３１に装着すると、当接部７１，７２が折曲部１１の内側面と折曲部３１の内側面とに弾性力によって圧接する。当接部７１，７２から作用する弾性力により、折曲部１１の外側面と折曲部３１の外側面との密着状態が維持され、防水性が保たれる。【選択図】図２
2009165721.tif 000002
【特許請求の範囲】
【請求項１】
複数の面部材のそれぞれの端部同士を接合してケースを構成する組立構造であって、
前記複数の面部材のうち互いに接合される２つの面部材のそれぞれの端部に、前記２つの面部材の内角を２分する角度に折り曲げた平板状の折曲部を形成し、
前記２つの面部材のそれぞれの折曲部の内側面に圧接するクリップであって前記２つの面部材のそれぞれの折曲部の外側面同士が接触する状態で保持するクリップを備えたケースの組立構造。
【請求項２】
前記クリップは、前記端部に全長にわたって圧接する請求項１に記載のケースの組立構造。
【請求項３】
前記２つの面部材のそれぞれの折曲部の外側面の間に挿入されるパッキンをさらに備えた請求項１又は２に記載のケースの組立構造。
【請求項４】
前記２つの面部材のそれぞれの折曲部に、互いに係合する係合部を形成した請求項１乃至３の何れかに記載のケースの組立構造。
【発明の詳細な説明】
【技術分野】
【０００１】
この発明は、複数の面で構成されたケースの組立構造に関し、特に、複数の面部材のそれぞれの端部同士を接合して構成されるケースの組立構造に関する。
【背景技術】
【０００２】
郵便ポストのように、屋外で使用される防水型のケースの構造として、複数の面を一体に形成したものがある（例えば、特許文献１参照。）。
【０００３】
ケースを構成する複数の面を一体に形成した場合、部品点数は減少するが、１部品の容積が大型化し、組立前の各部品の保管スペースが大型化する。また、複数の面を一体に形成した場合、内側面の塗装が困難になる。
【０００４】
一方、ケースの各面を個別の面部材で構成し、隣接する面部材をネジ止めや溶接によって接合する場合には、組立前の各面部材を積層することで保管スペースを狭小化できる。また、組立前の各面部材の両面を容易に均一塗装することができる。
【特許文献１】特開２０００−３３３８１８号公報
【発明の開示】
【発明が解決しようとする課題】
【０００５】
しかしながら、ケースの各面を個別の面部材で構成し、隣接する面部材をネジ止めによって接合すると、ケースの防水性を確保することが難しい。また、ケースの形状によっては、ケースの内側にネジ止めや溶接のための工具を挿入することができず、ケースの形状の自由度が低下する。
【０００６】
この発明の目的は、ケースの各面を構成する面部材をネジ止めや溶接によることなく確実に接合できるようにし、組立作業が容易で、防水性を確保することができるケースの組立構造を提供することにある。
【課題を解決するための手段】
【０００７】
この発明のケースの組立構造は、複数の面部材のそれぞれの端部同士を接合してケースを構成する組立構造であって、折曲部及びクリップを備えている。折曲部は、複数の面部材のうち互いに接合される２つの面部材のそれぞれの端部を、２つの面部材の内角を２分する角度に折り曲げて平板状に形成されている。クリップは、２つの面部材のそれぞれの折曲部の内側面に圧接し、２つの面部材のそれぞれの折曲部の外側面同士が接触する状態で保持する。
【０００８】
２つの面部材のそれぞれの折曲部の外側面を当接させると、２つの面部材のそれぞれの折曲部によって規定される角度で２つの面部材が接合される。２つの面部材のそれぞれの折曲部の外側面の当接状態は、２つの面部材のそれぞれの折曲部の内側面に圧接するクリップによって維持される。組立前の各面部材は、単一の面を構成する形状であり、折曲部を含む表裏全面を均一に塗装可能であり、複数枚を積層して保管できる。
【０００９】
この構成において、クリップを、面部材の端部に端部の長手方向の全長にわたって圧接するものとしてもよい。２つの面部材のそれぞれの折曲部の当接状態を端部の全長にわたって確実に維持することができる。
【００１０】
また、２つの面部材のそれぞれの折曲部の外側面の間に挿入されるパッキンをさらに備えてもよい。２つの面部材のそれぞれの折曲部の外側面の間に空間が形成されることを確実に防止でき、防水性を向上させることができる。
【００１１】
さらに、２つの面部材のそれぞれの折曲部に、互いに係合する係合部を形成してもよい。２つの面部材のそれぞれの折曲部の外側面の相対的な位置を規定することができ、端部の長手方向に沿う方向における２つの面部材の相対的な位置決めを容易に行うことができる。
【発明の効果】
【００１２】
この発明によれば、２つの面部材のそれぞれの折曲部の外側面を当接させることで、２つの面部材のそれぞれの折曲部によって規定される角度で２つの面部材を接合することができる。２つの面部材のそれぞれの折曲部の外側面の当接状態は、２つの面部材のそれぞれの折曲部の内側面に圧接するクリップによって維持することができる。組立前の各面部材を単一の面で構成することができ、折曲部を含む表裏全面を均一に塗装することができるとともに、複数枚を積層して小さいスペースに保管することができる。
【発明を実施するための最良の形態】
【００１３】
図１は、この発明の実施形態に係るケースの組立構造を適用した郵便ポストの要部の外観図である。郵便ポスト１０は、左右の側面部材１，２、背面部材３、天面部材４、底面部材５及び図示しない正面部材によって略直方体の筐体形状に形成される。側面部材１，２、背面部材３、天面部材４、底面部材５のそれぞれは、例えば、ＳＰＣＣ等の鋼板を素材として、プレス加工によって所定の形状に形成された後、表裏面の全面に塗装を施された後に組み立てられる。側面部材１，２、背面部材３、天面部材４、底面部材５は、表裏面の全面が塗装されるため、耐腐食性材料を素材とする必要がない。
【００１４】
側面部材１，２、背面部材３、天面部材４、底面部材５は、略平面状を呈している。天面部材４は、少なくとも左右の側面側に垂直面４１が形成されており、背面側に傾斜面４２及び垂直面４３が形成され、立体形状を呈している。背面部材３には、開口部３Ａが形成されており、開口部３Ａを開閉する蓋体６が揺動自在に取り付けられている。
【００１５】
郵便ポスト１０の組立後に、側面部材１及び側面部材２のそれぞれの背面側端部が背面部材３の左右の側面側端部に接合し、側面部材１及び側面部材２のそれぞれの上面側端部が天面部材４の左右の側面側端部に接合し、側面部材１及び側面部材２のそれぞれの底面側端部が底面部材５の左右の側面側端部に接合する。また、郵便ポスト１０の組立後に、背面部材３は、上面側端部が天面部材４の背面側端部に接合し、底面側端部が底面部材５の背面側端部に接合する。
【００１６】
図２は、上記郵便ポストの要部の分解斜視図である。側面部材１の背面側端部には、円弧部１２に連続して折曲部１１が上下方向の全域にわたって形成されている。折曲部１１は、側面部材１の平面部分に対して平面視において４５度の角度で折り曲げられている。背面部材３の側面側端部には、円弧部３２に連続して折曲部３１が上下方向の全域にわたって形成されている。折曲部３１は、背面部材３の平面部分に対して平面視において４５度の角度で折り曲げられている。折曲部１１及び折曲部３１は平板状を呈している。
【００１７】
側面部材１の背面側端部及び背面部材３の側面側端部は、折曲部１１の外側面と折曲部３１の外側面とを当接させて接合される。これによって、側面部材１と背面部材３とは、内角を９０度にして接合される。折曲部１１及び折曲部３１は、それぞれが平板状を呈しているため、それぞれの外側面が上下方向の全域にわたって密着する。
【００１８】
互いの外側面を当接させた折曲部１１及び折曲部３１に、クリップ７が装着される。クリップ７は、一例として弾力性を有する樹脂を素材として、略Ω状の断面形状を呈している。クリップ７は、折曲部１１，３１に装着されていない状態で圧接部７１，７２が当接している。クリップ７を折曲部１１，３１に装着すると、当接部７１，７２が折曲部１１の内側面と折曲部３１の内側面とに弾性力によって圧接する。当接部７１，７２から作用する弾性力により、折曲部１１の外側面と折曲部３１の外側面との密着状態が維持され、防水性が保たれる。
【００１９】
また、折曲部１１の外側面と折曲部３１の外側面との少なくも一方が平滑性でない場合でも、両外側面から内部に侵入した液体は、クリップ７の中間部で塞き止められ、郵便ポスト１０の内部に漏出することがない。
【００２０】
したがって、側面部材１と背面部材３とをネジ止めや溶接によることなく確実に接合することができ、組立作業を容易することができるとともに、防水性を確保できる。
【００２１】
なお、側面部材２は、側面部材１と同様にして背面部材３に接合され、クリップ７によって接合状態を維持される。
【００２２】
図３は、上記郵便ポストの要部の内部上面側を示す分解斜視図である。側面部材１の上面側端部には、内側に平行に折り曲げられた固定部１３が段部１４に連続して前後方向の略全域にわたって形成されている。固定部１３には、一例として３箇所に孔部１５が形成されている。
【００２３】
天面部材４は、垂直面４１の内側面を固定部１３の外側面に当接させて側面部材１に接合される。垂直面４１の内側面には、一例として３箇所に突起４４が形成されている。突起４４のそれぞれは、孔部１５のそれぞれに嵌入し、側面部材１と天面部材４との接合位置を規定する。
【００２４】
背面部材３の上面側端部には、内側に平行に折り曲げられた固定部３３が段部３４に連続して左右方向の略全域にわたって形成されている。天面部材４は、垂直面４３の内側面を固定部３３の外側面に当接させて背面部材３に接合される。
【００２５】
天面部材４は、垂直面４１，４３を側面部材１及び背面部材３の上端部の外側に位置させて側面部材１及び背面部材３に接合される。このため、天面部材４と側面部材１及び背面部材３との接合部分における防水性が確保される。
【００２６】
なお、段部１４及び３４の幅を天面部材４の板厚に等しくすることにより、郵便ポスト１０の側面及び背面を上下方向の全域にわたって面一に形成することができる。
【００２７】
また、側面部材２は、側面部材１と同様に形成されている。天面部材４は、側面部材１と同様にして側面部材２と接合される。
【００２８】
天面部材４の前端部には、段部４５が形成されており、段部４５から下方に延出した延出部４６に孔部４７が形成されている。図示しない前面部材は、段部４５の外側面に当接して天面部材４に接合され、孔部４７嵌入するピン又はネジを介して固定される。
【００２９】
図４は、上記郵便ポストの要部の内部底面側を示す分解斜視図である。側面部材１の折曲部１１及び背面部材３の折曲部３１には、少なくとも１箇所の同一の高さ位置に、切り起こし片８が、互いに上下対称かつ表裏対称に形成されている。切り起こし片８は、互いに上下方向に係合する。切り起こし片８は、この発明の係合部であり、側面部材１と背面部材３との互いの上下方向の接合位置を規定するとともに、折曲部１１と折曲部３１との当接状態を維持することにより、組立作業を容易化する。
【００３０】
また、折曲部１１と折曲部３１との間に、ゴム等を素材とした平板状のパッキン９を配置してもよい。これによって、折曲部１１の外側面と折曲部３１の外側面との少なくとも一方が平滑でない場合でも、パッキン９の弾性変形によって側面部材１と背面部材３との接合部における防水性を維持することができる。パッキン９を用いる場合には、クリップ７を折曲部１１及び折曲部３１の上下方向の全域にわたって装着する必要は必ずしも無く、部分的に配置することもできる。この場合に、クリップ７の切り起こし片８が位置している部分を除去してもよい。
【００３１】
なお、側面部材１と背面部材３との上下方向の接合位置の規定、及び折曲部１１と折曲部３１との当接状態の維持を他の手段によって実現できる場合には、切り起こし部８を省略することもできる。側面部材２についても、側面部材１と同様である。
【００３２】
上記の実施形態では、郵便ポストを例に挙げて説明したが、これに限るものではなく、複数の面部材によって構成される種々のケースにこの発明を適用することができる。
【００３３】
また、上記の実施形態では、側面部材１と背面部材３との内角を９０度とすべく折曲部１１及び折曲部３１を側面部材１及び背面部材３に対して４５度の角度で形成したが、側面部材１と側面部材３との内角、並びに折曲部１１及び折曲部３１の側面部材１及び背面部材３に対する角度はこれに限るものではなく、側面部材１と側面部材３との内角を必ずしも２等分する角度でなくてもよい。さらに、側面部材１，２と背面部材３との接合だけでなく、他の面部材を折曲部１１，３１及びクリップ７を用いて接合してもよい。
【００３４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３５】
【図１】この発明の実施形態に係るケースの組立構造を適用した郵便ポストの要部の外観図である。
【図２】上記郵便ポストの要部の分解斜視図である。
【図３】上記郵便ポストの要部の内部上面側を示す分解斜視図である。
【図４】上記郵便ポストの要部の内部底面側を示す分解斜視図である。
【符号の説明】
【００３６】
１，２−側面部材
３−背面部材
４−天面部材
５−底面部材
７−クリップ
８−切り起こし片（係合部）
９−パッキン
１１，３１−折曲部
【図１】
2009165721.tif 000003
【図２】
2009165721.tif 000004
【図３】
2009165721.tif 000005
【図４】
2009165721.tif 000006